(57)【要約】【課題】内容液に含まれる一部の成分が胴部の内面に玉状に付着することを防止することができるボトル容器を提供する。【解決手段】口部２と胴部３とを備えたポリエチレンテレフタレート製のボトル容器１であって、胴部３の内面の算術平均粗さが、０．７５ｎｍ以下であることを特徴とするボトル容器１。【選択図】図１
2018199524.tif 000002
【特許請求の範囲】
【請求項１】
口部と胴部とを備えたポリエチレンテレフタレート製のボトル容器であって、
前記胴部の内面の算術平均粗さが、０．７５ｎｍ以下であることを特徴とするボトル容器。
【請求項２】
前記胴部が、前記口部の下端に連なるとともに下方に向けて徐々に外径を拡大する略円錐状の部分と、前記略円錐状の部分の下端に連なる外径が略一定の円筒状の部分と、前記円筒状の部分の下端を閉塞する底部分とを有し、前記円筒状の部分における平均肉厚が０．４ｍｍ以下である、請求項１に記載のボトル容器。
【発明の詳細な説明】
【技術分野】
【０００１】
本発明は、口部と胴部とを備えたポリエチレンテレフタレート製のボトル容器に関する。
【背景技術】
【０００２】
従来から、飲料や化粧料、洗剤等の液体を収容する容器として、口部と胴部とを備えたボトル形状を有するポリエチレンテレフタレート（ＰＥＴ）製のボトル容器（ペットボトル）が知られている。
【０００３】
このようなボトル容器は、ポリエチレンテレフタレートにより形成されたプリフォームを、加圧エアーを用いて２軸延伸エアブロー成形することでボトル状に形成されるのが一般的である（例えば特許文献１参照）。
【先行技術文献】
【特許文献】
【０００４】
【特許文献１】特開２０１７−１６９１号公報
【発明の概要】
【発明が解決しようとする課題】
【０００５】
しかしながら、ポリエチレンテレフタレート製のプリフォームを２軸延伸エアブロー成形して形成される従来のボトル容器では、胴部の内面に微小な凹凸が生じる場合がある。このような微小な凹凸が胴部の内面に生じると、例えば炭酸水などの炭酸飲料を収容した場合に胴部の内面に炭酸の泡が玉状（粒状）に付着するなど、内容液に含まれる一部の成分が胴部の内面に玉状に付着して、内容液を収容した状態におけるボトル容器の美観が低下してしまうという問題が生じることになる。
【０００６】
本発明は、このような問題点を解決することを課題とするものであり、その目的は、内容液に含まれる一部の成分が胴部の内面に玉状に付着することを防止することができるボトル容器を提供することにある。
【課題を解決するための手段】
【０００７】
本発明のボトル容器は、口部と胴部とを備えたポリエチレンテレフタレート製のボトル容器であって、前記胴部の内面の算術平均粗さが、０．７５ｎｍ以下であることを特徴とする。
【０００８】
本発明のボトル容器は、上記構成において、前記胴部が、前記口部の下端に連なるとともに下方に向けて徐々に外径を拡大する略円錐状の部分と、前記略円錐状の部分の下端に連なる外径が略一定の円筒状の部分と、前記円筒状の部分の下端を閉塞する底部分とを有し、前記円筒状の部分における平均肉厚が０．４ｍｍ以下であるものとすることができる。
【発明の効果】
【０００９】
本発明によれば、内容液に含まれる一部の成分が胴部の内面に玉状に付着することを防止することができるボトル容器を提供することができる。
【図面の簡単な説明】
【００１０】
【図１】本発明の一実施の形態であるボトル容器の正面図である。
【発明を実施するための形態】
【００１１】
以下、図面を参照しつつ、本発明をより具体的に例示説明する。
【００１２】
図１に示す本発明の一実施の形態であるボトル容器１は、例えば炭酸水などの炭酸飲料を内容液として収容する用途に用いられるものである。このボトル容器１は、ポリエチレンテレフタレート製となっており、口部２と胴部３とを備えたボトル形状に形成されている。すなわち、ボトル容器１は、所謂ペットボトルとなっている。
【００１３】
口部２は円筒状に形成されており、その外周面には雄ねじ２ａが一体に設けられている。
【００１４】
胴部３は、口部２の下端に連なるとともに下方に向けて徐々に外径を拡大する略円錐状の部分３ａと、略円錐状の部分３ａの下端に連なる外径が略一定の円筒状の部分３ｂと、円筒状の部分３ｂの下端を閉塞する底部分３ｃとを有しており、その内部は内容液の収容空間となっている。胴部３は透明ないし半透明となっており、外部から胴部３の内部に収容された内容液を視認することができる。
【００１５】
口部２を通して胴部３の内部に内容液が充填されると、雄ねじ２ａにキャップ（不図示）がねじ結合され、口部２は当該キャップにより密閉される。ボトル容器１は、胴部３の内部に炭酸飲料を内容液として収容し、口部２がキャップにより密閉された状態で市場に流通される。
【００１６】
本実施の形態のボトル容器１では、胴部３の内面の算術平均粗さＲａは、０．７５ｎｍ以下（０．７５×１０−３μｍ以下）となっている。
【００１７】
ここで、胴部３の内面の算術平均粗さＲａは、胴部３から切り出したサンプル片について、「ＪＩＳ  Ｂ  ０６０１」に準拠し、２５μｍ四方の範囲の表面粗さを原子間力電子顕微鏡（ＡＦＭ：ＮａｎｏＳｃｏｐｅIIIａ（日本ビーコ社製））にて測定した。
【００１８】
このように、本実施の形態のボトル容器１では、胴部３の内面を、算術平均粗さＲａが０．７５ｎｍ以下という、微小な凹凸が無い滑らかな面に形成するようにしている。したがって、胴部３に内容液として炭酸水などの炭酸飲料を収容した場合であっても、胴部３の内面に炭酸の泡が玉状に付着することを防止して、内容液を収容した状態におけるボトル容器１の美観を高めることができる。
【００１９】
上記したボトル容器１は、ポリエチレンテレフタレートにより有底筒状に形成されたプリフォームを、従来よりも清浄度の高い空気を加圧してなる加圧エアーを用いて２軸延伸エアブロー成形することで形成することができる。すなわち、エアフィルター等の濾過手段を用いて、加圧エアーとして使用する空気中から微小な埃や塵等を取り除いて当該加圧エアーを所定の清浄度以上のものとし、当該清浄化された加圧エアーを用いてプリフォームを２軸延伸エアブロー成形することで、胴部３の内面に微小な凹凸が生じることを防止して、胴部３の内面の算術平均粗さＲａが、０．７５ｎｍ以下となるボトル容器１を成形することができる。
【００２０】
ここで、本発明者が上記構成ないし方法を見出した経緯について説明する。本発明者は、２軸延伸エアブロー成形により形成したボトル容器の胴部の内面に微小な凹凸が生じるのは、２軸延伸エアブロー成形に用いる加圧エアー中に、内容液の品質に影響を与えない程度の微小な埃や塵等が含まれていることが原因であると考え、通常使用されるものよりも目が細かいエアフィルターを用い、あるいはエアフィルターを多重に設けるなどして、加圧エアーとして使用する空気中からより多くの微小な埃や塵等を取り除いて、当該加圧エアーを従来よりも清浄度の高い所定の清浄度以上のものとしてから、当該清浄化された加圧エアーを用いてプリフォームを２軸延伸エアブロー成形する実験を行った。その結果、微小な埃や塵等を取り除いて清浄度を所定値以上に高めた加圧エアーを用いて２軸延伸エアブロー成形を行うことで、成形後の胴部の内面に微小な凹凸が生じることを防止できることを見出した。そして、加圧エアーの清浄度を変更して同様の実験を繰り返し行うことで、胴部の内面の算術平均粗さＲａを０．７５ｎｍ以下とすれば、内容液に含まれる一部の成分が胴部の内面に玉状に付着することを防止することができるとの結論を得たのである。
【００２１】
ここで、２軸延伸エアブロー成形において加圧エアーとして用いられるエアーとしては、１０μｍ以下のフィルターを通したエアーを使用するのが好ましい。このような構成とすることで、胴部３の内面に凹凸が生じることを確実に防止して、胴部３の内面に炭酸の泡が玉状に付着することを確実に防止することができる。
【００２２】
次に、本発明の効果を確認するために、それぞれ胴部の内面の算術平均粗さＲａが相違する、実施例１、実施例２の２つのボトル容器と、比較例１〜５の５つのボトル容器とを用意し、それぞれのボトル容器の内部に、水の中に一部の成分として炭酸を含む炭酸水を充填し、胴部の円筒状の部分の内面への炭酸の泡の付着の有無を目視で確認した。そして、その目視での確認結果から、それぞれのボトル容器の容器外観について、胴部の内面に炭酸の泡が付着しない場合には○、胴部の内面に炭酸の泡が玉状に付着した場合には×として評価した。
【００２３】
ここで、実施例１のボトル容器は胴部の内面の算術平均粗さＲａが０．６５（ｎｍ）のものであり、実施例２のボトル容器は胴部の内面の算術平均粗さＲａが０．７２（ｎｍ）のものであり、比較例１のボトル容器は胴部の内面の算術平均粗さＲａが０．８３（ｎｍ）のものであり、比較例２のボトル容器は胴部の内面の算術平均粗さＲａが０．９３（ｎｍ）のものであり、比較例３のボトル容器は胴部の内面の算術平均粗さＲａが０．９７（ｎｍ）のものであり、比較例４のボトル容器は胴部の内面の算術平均粗さＲａが２．００（ｎｍ）のものであり、比較例５のボトル容器は胴部の内面の算術平均粗さＲａが２．３２（ｎｍ）のものである。
【００２４】
評価結果を表１に示す。
【００２５】
【表１】
2018199524.tif 000003
【００２６】
表１から解るように、胴部の内面の算術平均粗さＲａが０．７５ｎｍより大きい比較例１〜５のボトル容器では、それらの全て胴部の内面に炭酸が付着して、その評価は×であった。この結果から、胴部の内面の算術平均粗さＲａが０．７５ｎｍより大きくなるボトル容器では、胴部の内面に炭酸の泡が玉状に付着して、内容液を収容した状態におけるボトル容器の美観が低下するおそれがあることが確認された。
【００２７】
これに対し、胴部の内面の算術平均粗さＲａが０．７５ｎｍ以下である実施例１、実施例２のボトル容器では、その胴部の内面に炭酸の泡は付着せず、評価は○であった。この結果から、胴部の内面の算術平均粗さＲａを０．７５ｎｍ以下とすれば、胴部の内面に内容液に含まれる一部の成分である炭酸の泡が玉状に付着することを防止して、内容液を収容した状態におけるボトル容器の美観を高めることができることが確認できた。
【００２８】
上記構成のボトル容器１においては、胴部３の円筒状の部分３ｂにおける平均肉厚を、０．４ｍｍ以下とするのが好ましい。胴部３の円筒状の部分３ｂにおける平均肉厚を、０．４ｍｍ以下とすることで、ボトル容器１を軽量化しつつ、その胴部３の内面に炭酸の泡が玉状に付着することを防止して、内容液を収容した状態におけるボトル容器１の美観を高めることができる。
【００２９】
ここで、従来のポリエチレンテレフタレート製のブロー成形ボトル容器において、胴部の円筒状の部分における平均肉厚を０．４ｍｍ以下とするためには、２軸延伸エアブロー成形によりプリフォームを高い倍率で径方向に延伸させつつ当該円筒状の部分の成形性を確保するために、プリフォームの内部により高い圧力で瞬間的に加圧エアーを供給する必要がある。そのため、加圧エアーに含まれる埃や塵等によってプリフォームの内部に微小な凹凸が生じ易く、胴部の円筒状の部分における平均肉厚を０．４ｍｍ以下としつつ胴部の内面に炭酸の泡が玉状に付着することを防止する構成とすることは困難である。
【００３０】
このような課題は、本発明者が、エアフィルター等の濾過手段を用いて、加圧エアーとして使用する空気中から微小な埃や塵等を取り除いて当該加圧エアーを所定の清浄度以上のものとしてから当該清浄化された加圧エアーを用いてプリフォームを２軸延伸エアブロー成形する実験を行ったことにより得た、２軸延伸エアブロー成形により形成したボトル容器の胴部の内面に微小な凹凸が生じるのは、２軸延伸エアブロー成形に用いる加圧エアー中に微細な埃や塵等が含まれることが原因であるとの知見に基づいて初めて認識されるに至った従来には無い新たな課題である。
【００３１】
そして、当該新たな課題に対し、本発明者は、上記の通り、従来よりも清浄度を高めた空気を加圧してなる加圧エアーを用いた２軸延伸エアブロー成形により、胴部３の円筒状の部分３ｂにおける平均肉厚を０．４ｍｍ以下としたボトル容器１を形成することで、当該ボトル容器１を軽量化しつつ、胴部３の内面に炭酸の泡が玉状に付着することを防止するようにしたのである。
【００３２】
本発明は前記実施の形態に限定されるものではなく、その要旨を逸脱しない範囲で種々変更可能であることはいうまでもない。
【００３３】
例えば、前記実施の形態においては、ボトル容器１を、内容液として炭酸水などの炭酸飲料を収容する用途に用いられるものとしたが、これに限らず、例えば、胴部３の内面の微小な凹凸に玉状に付着する虞がある成分を含む種々の液体を内容液として収容する用途に用いることもできる。
【００３４】
また、前記実施の形態においては、ボトル容器１の胴部３を、略円錐状の部分３ａと円筒状の部分３ｂとが断面円形状となる形状のものとしているが、これに限らず、例えば断面矩形ないし断面多角形状となる形状のものとするなど、胴部３の形状は種々変更可能である。また、口部２も円筒状に限らず、楕円筒状や角筒状とすることもできる。
【符号の説明】
【００３５】
１    ボトル容器
２    口部
２ａ  雄ねじ
３    胴部
３ａ  略円錐状の部分
３ｂ  円筒状の部分
３ｃ  底部分
【図１】
2018199524.tif 000004